(57)【要約】【課題】本発明において、超音波骨カッターのカッターヘッドは、研削ヘッドと刃との一体化構造であり、手術を行なう際に、オペレーターは本発明の超音波骨カッターのカッターヘッドを使用しながらワンカッターで多用途カットを実現することができ、カッターヘッドを繰り返して切り替える必要がないため、手術時間が減少でき、手術効率を極大に高めており、手術リスクを低下させ、患者の痛みを減少することができる。同時に、両種の用途の異なるカッターヘッドを集積化することにより、生産コストも低減でき、人力と物力資源も節約することができる。本発明の超音波骨カッターのカッターヘッドは操作が簡便で、快適であり、安全性も高い。【解決手段】超音波骨カッターのカッターヘッドであって、超音波骨カッターのカッターヘッドの前端に位置する切断部（1）と、超音波骨カッターのカッターヘッドの後端に位置し、切断部（1）に連結される連結部（2）とを含み、切断部（1）の前端は研削するための研削ヘッド（3）及び切断するための刃（4）を有し、研削ヘッド（3）及び刃（4）は一体構造になっている。【選択図】図１
2019514560.tif 000002
【特許請求の範囲】
【請求項１】
超音波骨カッターのカッターヘッドの前端に位置する切断部と、前記超音波骨カッターのカッターヘッドの後端に位置し、前記切断部に連結される連結部とを含む前記超音波骨カッターのカッターヘッドであって、
前記切断部の前端は研削するための研削ヘッド及び切断するための刃を有し、前記研削ヘッド及び前記刃は一体構造になっていることを特徴とする超音波骨カッターのカッターヘッド。
【請求項２】
前記研削ヘッド及び前記刃の横断面が傘状を呈し、前記研削ヘッドは傘のヘッド部位に位置し、前記刃は傘のハンドル部位に位置することを特徴とする請求項１に記載の超音波骨カッターのカッターヘッド。
【請求項３】
前記研削ヘッドの外面は、複数の縦横に交差する溝によって複数の突起に分割されており、軸方向に沿って開設された複数の溝は前記切断部の後端方向に延伸され、前記切断部の中段で終止され、液体をガイドするための縦溝を形成することを特徴とする請求項請求項1又は２に記載の超音波骨カッターのカッターヘッド。
【請求項４】
前記刃は前記研削ヘッドに連結される過渡部と、前記過渡部に連結され、前記研削ヘッドに対向する片側に位置する刃口とを含み、前記刃口は複数の円弧によって所定の間隔で分割され、不連続の歯形構造になっており、前記歯形構造の縁は尖鋭であることを特徴とする請求項1又は２に記載の超音波骨カッターのカッターヘッド。
【請求項５】
前記刃は、前記研削ヘッドに連結される過渡部と、前記過渡部に連結され、前記研削ヘッドに対向する片側に位置する刃口とを含み、前記刃口の両側には、複数の平行する、且つ前記刃口の縁に垂直し、前記研削ヘッドの方向に向かって延伸されるサイド刃が夫々開設されていることを特徴とする請求項1又は２に記載の超音波骨カッターのカッターヘッド。
【請求項６】
前記刃口は上向きに延伸され、前記研削ヘッドの前端を包むことを特徴とする請求項４に記載の超音波骨カッターのカッターヘッド。
【請求項７】
前記過渡部は前記研削ヘッド及び前記刃をスムーズに連結し、前記過渡部は径方向に沿って外方へ延伸され、刃の奥行きを限定するための止め面を形成することを特徴とする請求項４に記載の超音波骨カッターのカッターヘッド。
【請求項８】
前記過渡部は前記研削ヘッド及び前記刃をスムーズに連結し、前記過渡部は径方向に沿って外方へ延伸され、刃の奥行きを限定するための止め面を形成することを特徴とする請求項５に記載の超音波骨カッターのカッターヘッド。
【請求項９】
前記連結部の前端は円錐台構造であり、その小い端部が前記切断部に連結され、その大きい端部が前記カッターヘッドの尾部に向かって延伸され、円柱体構造を形成しており、前記円柱体の前記円錐台の大きい端部に近い側で、前記円柱体の外面に沿って挟持するための複数の平面が形成されていることを特徴とする請求項1又は２に記載の超音波骨カッターのカッターヘッド。
【請求項１０】
前記超音波骨カッターのカッターヘッドは中空構造であり、前記連結部の尾部に超音波骨カッターの手柄を連結するための雌ねじが開設されていることを特徴とする請求項1又は２に記載の超音波骨カッターのカッターヘッド。
【発明の詳細な説明】
【技術分野】
【０００１】
本発明は、医療機器設備分野に関するものであって、特別に、外科用カッターに関し、特に、超音波骨カッターのカッターヘッドに関するものである。
【０００２】
現代社会において、医療技術の発展に伴い、整形外科学の手術も多様化に傾いているに応じて、手術を実施する際に、異なる整形外科学の病状に対して異なる形状の外科用カッターのヘッドを採用して、患部に対して切断、研削、スクレーパ、クランプなどの操作を行なっている。
【０００３】
骨格構造の特殊な構造に対し、最近段々発展して来た超音波技術に合わせて、超音波骨カッターは、漸次に現代整形外科学手術の主な工具になっている。超音波骨カッターは高密度焦点式超音波技術を利用し、変換器によって、電気エネルギーを機械力に変換させ、高周波の超音波の振動を介して、接触される組織の細胞内の水分を気化し、蛋白質における水素結合を切断させ、手術において切断すべき骨組織を徹底的に破壊させてしまう。当該高密度焦点式超音波が特定の硬度の骨組織のみに対して破壊作用を有し、硬いものを切るのには適しているが、柔らかいものを切るのには適していない特性を有するため、周辺が骨格構造であり、中間が脊髄であるような柔軟な組織の脊柱手術に特に適用されている。超音波骨カッターを利用して手術すると、手術において過度の力を加えて不注意に脊髄に傷付ける医療事故の発生を有効的に防止でき、手術の安全性が高められている。
【０００４】
従来技術において、医者は超音波骨カッターを持って骨切り手術を行なう時には、主に、手術経験に依頼しながら、切断深度及び切断力度を把握している。切断途中において、異なる種類のカッターヘッドを切り替えることにより、異なる切断効果を果たしているため、手術効率を大幅に低減し、オペレーターの動作量を増加し、手術時間が遅延され、オペレーターが更に疲労し易くなる。これと共に、カッターヘッドを絶えず切り替えることは、医者の手術操作プロセスを中断させ、手術の連続性も遮断され、手術中で生まれた手腕感覚を破壊することになる。周知の通り、手術操作は人為的な器具操作過程であり、手動実務操作経験のある人たちは精密操作を行なう時に一気呵成に行うことを重視し、手動操作過程の中で、人と器具が互いに磨き合い、最適な相性を生み出し、気が合う最高の状態になる。若し、この過程がカッターヘッドを頻繁的に切り替えることにより絶えず中断される場合、操作者は何度も新しいカッターヘッドとの相性を確認しながら、新たに適応し、新たな感覚を探し出す必要があり、このようになると、手術効率が大幅に低減されると伴に、手術のリスクを増大させ、外科執刀医に対して更に高い要求を求めることになり、無形の中、医者の仕事の量が増加され、手術の成功率が低減されてしまう。
【発明の概要】
【発明が解決しようとする課題】
【０００５】
従来の問題に対して、本発明は上記欠点を改善するために、超音波骨カッターのカッターヘッドを提供することを目的とする。
【課題を解決するための手段】
【０００６】
上記問題を解決するために、本発明が採用した技術案は、超音波骨カッターのカッターヘッドであって、超音波骨カッターのカッターヘッドの前端に位置する切断部と、超音波骨カッターのカッターヘッドの後端に位置し、切断部に連結される連結部とを含み、切断部の前端は研削するための研削ヘッド及び切断するための刃を有し、研削ヘッド及び刃は一体構造になっている。
【０００７】
好ましくは、研削ヘッド及び刃の横断面が傘状を呈し、研削ヘッドは傘のヘッド部位に位置し、刃は傘のハンドル部位に位置する。
【０００８】
好ましくは、研削ヘッドの外面は、複数の縦横に交差する溝によって複数の突起に分割されており、軸方向に沿って開設された複数の溝は切断部の後端方向に延伸され、切断部の中段で終止され、液体をガイドするための縦溝を形成する。
【０００９】
好ましくは、刃は研削ヘッドに連結される過渡部と、過渡部に連結され、研削ヘッドに対向する片側に位置する刃口とを含み、刃口は複数の円弧によって所定の間隔で分割され、不連続の歯形構造になっており、歯形構造の縁は尖鋭である。
【００１０】
好ましくは、刃は、研削ヘッドに連結される過渡部と、過渡部に連結され、研削ヘッドに対向する片側に位置する刃口とを含み、刃口の両側には、複数の平行する、且つ刃口の縁に垂直し、研削ヘッドの方向に向かって延伸されるサイド刃が夫々開設されている。
【００１１】
好ましくは、刃口は上向きに延伸され、研削ヘッドの前端を包む。
【００１２】
好ましくは、過渡部は研削ヘッド及び刃をスムーズに連結し、過渡部は径方向に沿って外方へ延伸され、刃の奥行きを限定するための止め面を形成する。
【００１３】
好ましくは、連結部の前端は円錐台構造であり、その小い端部が切断部に連結され、その大きい端部がカッターヘッドの尾部に向かって延伸され、円柱体構造を形成しており、円柱体の円錐台の大きい端部に近い側で、円柱体の外面に沿って挟持するための複数の平面が形成されている。
【００１４】
好ましくは、超音波骨カッターのカッターヘッドは中空構造であり、連結部の尾部に超音波骨カッターの手柄を連結するための雌ねじが開設されている。
【発明の効果】
【００１５】
従来技術に比べて、本発明の実施例には以下の利点がある。本発明において、超音波骨カッターのカッターヘッドは、研削ヘッドと刃との一体化構造であり、手術を行なう際に、オペレーターは本発明の超音波骨カッターのカッターヘッドを使用しながら一つのカッターで多用途カットを実現することができ、カッターヘッドを繰り返して切り替える必要がなくなるため、手術時間が減少でき、手術効率を極大に高めており、手術リスクを低下させ、患者の痛みを減少することができる。本発明の超音波骨カッターのカッターヘッドは精緻且つ小さくて精巧であり、骨に対する切削量及び形状を精確に制御可能であり、骨切り手術におけるの骨損失量を低減し、患者の回復時間を速くさせられる。超音波骨カッターの超音波特性によれば、創傷部位に対して止血、血液の凝固ができ、手術の出血量を減少し、患者の痛みを更に低減することができる。同時に、両種の用途が異なるカッターヘッドを集積化することにより、生産コストも低減でき、人力と物力資源も節約することができる。本発明の超音波骨カッターのカッターヘッドは操作が簡便で、快適であり、安全性も高い。
【図面の簡単な説明】
【００１６】
【図１】図１は、本発明の超音波骨カッターのカッターヘッドの第１実施例の立体模式図である。
【図２】図２は、本発明の超音波骨カッターのカッターヘッドの第１実施例の右側面模式図である。
【図３】図３は、本発明の超音波骨カッターのカッターヘッドの第２実施例の右側面模式図である。
【図４Ａ】図４Ａは、本発明の超音波骨カッターのカッターヘッドの第３実施例の右側面模式図である。
【図４Ｂ】図４Ｂは、本発明の超音波骨カッターのカッターヘッドの第３実施例の右側面模式図である。
【図５】図５は、本発明の超音波骨カッターのカッターヘッドの第４実施例の右側面模式図である。
【図６】図６は、本発明の超音波骨カッターのカッターヘッドの第５実施例の正面模式図である。
【図７】図７は、本発明の超音波骨カッターのカッターヘッドの第６実施例の正面模式図である。
【図８】図８は、本発明の超音波骨カッターのカッターヘッドの切断部の第７実施例の立体模式図である。
【図９】図９は、本発明の超音波骨カッターのカッターヘッドの切断部の第８実施例の立体模式図である。
【図１０】図１０は、本発明の超音波骨カッターのカッターヘッドの中空構造を示した断面模式図である。
【発明を実施するための形態】
【００１７】
以下、図面に合わせて本発明の技術案を明瞭、完全に記述する。明らかに、記述される実施例は本発明の一部の実施例だけであり、全部の実施例ではない。本発明の実施例に基づき、当業者が進歩性に値する労働を要しない上で得られる全ての他の実施例は、いずれも本発明が保護する範囲に属するものである。
【００１８】
本発明では記述する際に、理解させるために用いる用語「中心」、「上」、「下」、「左」、「右」、「垂直」、「水平」、「内」、「外」等の指示の方位又は位置関係は、図面に示されている方位又は位置関係に基づいており、本発明を容易且つ簡単に説明するためであり、示される装置又は部材が必ずしも特定な方位、特定な方位構造と操作を有するものであると指示又は示唆するものではないため、本発明を制限するものではないと理解されるべきである。それ以外に、技術用語「第１」、「第２」、「第３」は目的のみを記述するためであり、重要性を指示又は暗示すると理解してはいけない。
【００１９】
本発明の記述において、説明すべきこととして、他の明確な規定及び限定を有する以外に、術語「取り付ける」、「互いに連結」、「連結」は広い意味に理解し、例えば、固定して連結してもよく、取り外し可能に連結され、または一体的に連結されてもよく、機械的連結してもよく、電気的接続してもよく、直接的に連結してもよく、中間媒体を介して間接的に連結してもよく、２つの部材の内部が連結していてもよい。当業者は、具体的な状況により上記術語を本発明で果たす具体的な意味として理解しなければならない。
【００２０】
図１は、本発明の超音波骨カッターのカッターヘッドの第１実施例の立体模式図である。図１に示すように、本発明の超音波骨カッターのカッターヘッドは、超音波骨カッターのカッターヘッドの前端に位置する切断部１と、超音波骨カッターのカッターヘッドの後端に位置し、切断部１に連結される連結部２とを含み、切断部１の前端は研削のための研削ヘッド３及び切断のための刃４を有し、研削ヘッド３及び刃４は一体構造になっている。
【００２１】
本発明の超音波骨カッターのカッターヘッドを使用して手術を行なう際に、先ず、オペレーターは本発明の超音波骨カッターのカッターヘッドの刃４の尖鋭的な刃口８を利用して生体組織を速く切断した後、カッターバーを回転し、研削ヘッド３を下向けにさせ、更に研削ヘッド３の研削特性を利用して、手術の創傷面を拡大する。このように繰り返して操作すると、生体組織を速く切断することが実現可能である。手術プロセスにおいて、オペレーターはカッターヘッドを繰り返して切り替える必要がないため、手術時間が減少でき、手術効率を極大に高めており、手術リスクを低下させ、患者の痛みを減少することができる。本発明の超音波骨カッターのカッターヘッドは精緻且つ小さくて精巧であり、骨に対する切削量及び形状を精確に制御可能であり、骨切り手術におけるの骨損失量を低減し、患者の回復時間を速くさせられる。超音波骨カッターの超音波特性によれば、創傷部位に対して止血、血液の凝固ができ、手術の出血量を減少し、患者の痛みを更に低減することができる。同時に、両種の用途が異なるカッターヘッドを集積化することにより、生産コストも低減でき、人力と物力資源も節約することができる。本発明の超音波骨カッターのカッターヘッドは操作が簡便で、快適であり、安全性も高い。
【００２２】
図２は、本発明の超音波骨カッターのカッターヘッドの第１実施例の右側面模式図である。図２に示すように、研削ヘッド３及び刃４の横断面は傘状を呈し、研削ヘッド３は傘のヘッド部位に位置し、刃４は傘のハンドル部位に位置する。異なる手術要求に応じて異なる大きさの研削ヘッド３を設計することは可能である。例えば、研削ヘッド３の傘ヘッド形状を半円形にすることもでき、半楕円形にすることもでき、あるいは、傘ヘッドが少し尖った形状にすることもできる。とにかく、生体組織と大面積の接触を発生し得、且つ生体組織に対して研削操作を行なうことができる如何なる形状であれば、何れも研削ヘッド３の外形として適合する。研削ヘッド３の扇形の開放角は１０°〜１８０°の間にあることが好ましく、骨組織に対する研削操作を有効的に実現することができる。
【００２３】
図３は、本発明の超音波骨カッターのカッターヘッドの第２実施例の右側面模式図である。本発明の第１の実施例と比べると、本発明の第２の実施例において、研削ヘッド３と刃４の中心線が所定の角度の角を呈している。研削ヘッド３と刃４の中心線が所定の角度の角を呈すると、異なる形状の骨格構造に適応することができる。
【００２４】
図４Ａ〜図４Ｂは、本発明の超音波骨カッターのカッターヘッドの第３実施例の右側面模式図である。本発明の第１の実施例に比べて、本発明の第３の実施例において、研削ヘッド３と刃４の高さ比例に所定の変化があることができる。すなわち、研削ヘッド３と刃４の高さは同じであることもでき、異なることもできる。カッターヘッドの大きさが所定である場合、図４Ａに示すように、刃４の高さがより低い時に、刃４の奥行きを精確に制御することができ、手術の精確性を実現できる。図４Ｂに示すように、刃４の高さがより高い時に、切断力を増強して、手術効率を高めることができる。
【００２５】
図５は、本発明の超音波骨カッターのカッターヘッドの第４実施例の右側面模式図である。本発明の第１、第３の実施例に比べて、本発明の第４実施例において、刃４の二つの側面には所定の角βが存在し、β角度範囲は−１５°〜＋１５°の間であり、角の開口は刃口８に向かっている。
【００２６】
上記各実施例において、研削ヘッド３の外面は、複数の縦横に交差する溝によって複数の突起７に分割されており、その中、軸方向に沿って開設された複数の溝は切断部１の後端方向に延伸され、切断部１の中段で終止され、液体をガイドするための縦溝５を形成する。縦溝５の機能は主に両部分を含んでいる。第１部分は、縦溝５が液体ガイド溝として、手術操作液を切断部１へよりスムーズにガイドでき、生体組織を洗浄して、降温することができる。第２部分は、縦溝５が分離溝として、周辺方向に沿って開設される横溝と共に研削ヘッド３の外面を複数の突起７に分割することにより、研削ヘッド３の研削機能を実現し得る。縦溝５は、切断部１の中段で終止し、切断部１の外面と平滑に過渡されることが好ましく、手術操作液が縦溝５に流れるのにより有利である。複数の突起７の形状は立方体でもよく、先端が上向きの多面体等でもよく、その大きさ、形状は突起７を形成する縦横に交差する溝が交差する形状によって特定され、具体的にどのような形状を採用するかは異なる手術要求に基づいて設計されることができる。一般的に、立方体平面の突起７は大きい研削量操作により有利し、先端を有する突起７は骨組織を摩砕するのに更に有利である。
【００２７】
図６は、本発明の超音波骨カッターのカッターヘッドの第５実施例の正面模式図である。本発明の第５の実施例において、図６に示すように、刃４は研削ヘッド３に連結される過渡部６と、過渡部６に連結され、研削ヘッド３に対向する片側に位置する刃口８とを含み、刃口８は複数の円弧１１によって所定の間隔で分割され、不連続の歯形構造になっており、歯形構造の縁は尖鋭である。一方、尖鋭的な歯形構造の歯口８は超音波エネルギーを集中可能であり、エネルギー転換効率を高め、より快速に、より簡便に手術を行なうようにする。他方、刃口８自身は複数の円弧１１によって各々が一つの直線に沿って配列される小さい刃に分割され、生体組織に対して１回の切断で、複数回のカット過程を経たことになり、オペレーターが操作するのにより省力であり、手術効率もより高い。
【００２８】
図６に示すように、研削ヘッド３の切断部１の前端に位置する部分は円形構造であってもよい。円形構造の研削ヘッド３は手術用カッターヘッドの常用な形状であり、このような形状の研削ヘッド３の外面はスムーズで、且つ小型であり、精細な研削操作を行なうの便利的である。
【００２９】
図６に示すように、刃４は研削ヘッド３に連結される過渡部６と、過渡部６に連結され、研削ヘッド３に対向する片側に位置する刃口８とを含み、刃口８の前端は弧形部９でもよく、刃口８の後端は平直部１０であり、弧形部９と平直部１０との間は平滑に過渡されている。このような平滑に過渡される構造は、操作者が超音波骨カッターを使用して骨組織により便利的に切り入れるのに有利である。弧形刃口８に合わせる研削ヘッド３は、方形のヘッド、円形のヘッド、尖頭等の任意の形状でもよい。
【００３０】
図７は、本発明の超音波骨カッターのカッターヘッドの第６実施例の正面模式図である。本発明の第５の実施例に比べて、本発明の第６の実施例において、研削ヘッド３の切断部１の前端に位置する部分は方形構造である。方形構造の切断部１のヘッド部は尖鋭的な直角辺を有し、当該直角辺構造は超音波エネルギーの集中に有利であり、高エネルギーで研削操作する必要がある生体組織に対して、方形構造の研削ヘッド３は円形構造よりもメリットがある。
【００３１】
図８は、本発明の超音波骨カッターのカッターヘッドの第７実施例の立体模式図である。図８に示すように、本発明の第７の実施例において、超音波骨カッターのカッターヘッドの刃４は、研削ヘッド３に連結される過渡部６と、過渡部６に連結され、且つ研削ヘッド３に対向する片側に位置する刃口８とを含み、刃口８の両側には、複数の平行する、且つ刃口８の縁に垂直し、研削ヘッド３の方向に向かって延伸されるサイド刃１４が夫々開設されている。サイド刃１４の縁は尖鋭的であり、生体組織を切断するのにより便利的である。
【００３２】
具体的に、刃４の側面に溝を形成することにより、サイド刃１４を形成することができる。刃４の一方の側面のみに溝を形成することもでき、刃４の両側面共に溝を形成することもできる。一部の溝を刃４の厚み方向に貫通させ、刃の一部を櫛形構造に呈させることができ、全部の溝を刃４の厚み方向に貫通させ、刃の全体を櫛形構造に呈させることができる。各溝の長さ及び深さは任意に変化されるが、互いに異なる。本発明の超音波骨カッターのカッターヘッドにおいて、刃４の側面にサイド刃１４を形成することで、手術において、刃４と骨との間のスリップを防止でき、位置決めの精度及び切断速度を更に向上させ、手術効率及び正確性を向上させ、手術時間を短縮し、患者の痛みを低減させることができる。溝が比較的に密集する、すなわち、サイド刃１４の数が比較的に多い場合、切断速度が更に速く、位置決め効果も更に良い。そして、刃４上に深さが比較的に深い凹溝が形成されると、カルシウム化程度が比較的に高い硬質の骨の手術において切断効率が更に高い。しかし、溝の深さが比較的に浅いと、カッターヘッドの全体の強度を確保でき、手術におけるカッターヘッドの切断を防止できる。このように、刃４上の各溝の深さを合理的に設置すると、カルシウム化程度が比較的に高い硬質の骨の手術においても、手術中の切断速度及び刃の寿命を確保でき、手術効率及び安全性を兼ねて確保することができる。
【００３３】
そして、前記溝はカッターヘッド方向に向かって傾斜され、刃口８、すなわち、刃４の底辺と９０度未満の角を形成してもよい。このように、溝をカッターヘッド方向へ傾斜させると、手術において、洗浄液の流れ方向を制御でき、手術における洗浄及び冷却の効果を更に向上させている。
【００３４】
図９は、本発明の超音波骨カッターのカッターヘッドの第８実施例の立体模式図である。図９に示すように、本発明の第８の実施例において、刃４の全体は長方体構造を呈し、その前端が直上に延伸されて研削ヘッド３に交わっている。このような形状の刃４は加工するのに便利であり、その先端が尖鋭的であるため、超音波エネルギーを更に集中するのに有利であり、手術のプロセスを加速することができる。
【００３５】
さらに、図６において、刃４は上向きに延伸され、研削ヘッド３の前端を包み、且つ研削ヘッド３の前端に刃口８を形成するようにしてもよい。刃口８の形状は半円弧、シャープアーク、直辺等の各種の形状でもよく、カッターヘッドを生体組織に垂直に放置した場合に、生体組織に対して有効的に切断すればよい。このような刃口８が研削ヘッド３の前端を包む構造により、オペレーターが超音波骨カッターを立てて生体組織の狭い隙間に対して切断操作を行なうことができ、超音波骨カッターの適用範囲を拡大し、手術における切断の精度を実現するのに有利であり、手術の効率を向上すると共に、手術の創傷を低減でき、回復率を高めている。
【００３６】
好ましくは、前記各実施例において、図１に示すように、過渡部６は研削ヘッド３及び刃４をスムーズに連結し、過渡部６は径方向に沿って外方へ延伸され、刃４の奥行きを限定するための止め面１２を形成する。オペレーターが超音波骨カッターを操作して生体組織を切断する時に、切り口が刃４の高さに達した後、止め面１２は切口の外側に止められ、刃４の更なる奥行きを制限することで、オペレーターの操作不当により、力を入れ過ぎて生体組織を過度に切断することによる事故を有効的に防止することができる。止め面１２は過渡部６が径方向に沿って外方へ延伸することにより形成され、形状は平面、凹面、曲面であってもよく、刃４の更なる奥行きを限定できる如何なる形状であればよく、平面構造であることが好ましく、加工及び洗浄に有利である。過渡部６は刃４にスムーズに過渡され、過渡円角は半径０．５ｍｍ〜半径１０ｍｍであることが好ましい。
【００３７】
前記各実施例において、図１に示すように、本発明の超音波骨カッターのカッターヘッドの連結部２の前端は円錐台構造であり、その小い端部が切断部１に連結され、その大きい端部がカッターヘッドの尾部に向かって延伸され、円柱体構造を形成している。円柱体の円錐台の大きい端部に近い側で、円柱体の外面に沿って挟持するための複数の平面１３が形成されている。挟持平面１３の設計は、主に、工具を採用してカッターヘッドを便利的に挟持するためにある。挟持平面の個数は偶数個で、二つずつ対称的に分布されてもよく、その個数は奇数個であってもよく、取り付けられる時に、専用のツールを採用し、挟持平面外にスリーブ接続させて回転操作が行なわればいい。
【００３８】
図１０は、本発明の超音波骨カッターのカッターヘッドの中空構造を示した断面模式図である。図１０に示すように、超音波骨カッターのカッターヘッドは中空構造であり、連結部の尾部に超音波骨カッターの手柄を連結するための雌ねじ１５が開設されている。このような中空構造の設計は、一方、材料を節約し、カッターヘッドをより小型で、簡便にさせる。他方、カッターヘッドの放熱性能を高めると共に、医療用液体を流すことができ、放熱性能及び潤滑効果を更に向上させている。
【００３９】
従来技術に比べて、本発明の実施例のメリットは、本発明において、超音波骨カッターのカッターヘッドが、研削ヘッド３と刃４が一体化構造であり、手術を行なう時に、オペレーターが本発明の超音波骨カッターのカッターヘッドを使用すると、ワンカッターで多用途カットを実現することができ、カッターヘッドを繰り返して切り替える必要がないため、手術時間が減少でき、手術効率を極大に高めており、手術リスクを低下させ、患者の痛みを減少することができる。超音波骨カッターの超音波特性によれば、創傷部位に対して止血、血液の凝固ができ、手術の出血量を減少し、患者の痛みを更に低減することができる。同時に、両種の用途が異なるカッターヘッドを集積化することにより、生産コストも低減でき、人力と物力資源も節約することができる。本発明の超音波骨カッターのカッターヘッドは操作が簡便で、快適であり、安全性も高い。
【００４０】
最後に、説明すべきこととして、上記各実施例は本発明の技術案のみを説明するのに用いられ、それを制限するためではない。上記各実施例を参照して本発明を詳細に説明していても、当業者は、依然として上記各実施例に記載された技術案を補正し、或いは、その中の一部又は全部の技術特徴を同等切替することができ、且つこれらの補正又は切替が相応する技術案の本質を本発明の各実施例の技術案の範囲から離れるようにしないことを理解すべきである。
【符号の説明】
【００４１】
１、切断部
２、連結部
３、研削ヘッド
４、刃
５、縦溝
６、過渡部
７、突起
８、刃口
９、弧形部
１０、平直部
１１、円弧
１２、止め面
１３、挟持平面
１４、サイド刃
１５、雌ねじ
【図１】
2019514560.tif 000003
【図２】
2019514560.tif 000004
【図３】
2019514560.tif 000005
【図４Ａ】
2019514560.tif 000006
【図４Ｂ】
2019514560.tif 000007
【図５】
2019514560.tif 000008
【図６】
2019514560.tif 000009
【図７】
2019514560.tif 000010
【図８】
2019514560.tif 000011
【図９】
2019514560.tif 000012
【図１０】
2019514560.tif 000013
【国際調査報告】
2019514560.tif 000014
2019514560.tif 000015
2019514560.tif 000016
2019514560.tif 000017